(57)【特許請求の範囲】
【請求項１】
上面にシャッターボタンを有する本体筐体の内部でスライドして複数の光学用開口の各々を覆う複数のカバーを備え、
軸を中心に前記複数のカバーが回動することにより前記複数のカバーが連動して、前記複数の光学用開口の開閉動作が行われる撮像装置において、
前記カバーと同一平面上に形成され当該カバーを連動させるレバーが、前記複数の光学用開口のうち上方に位置する開口用のカバーの端から延出して前記本体筐体の円弧形状を有する上面から突出するよう設けられている
ことを特徴とする撮像装置。
【請求項２】
前記複数のカバーは、ファインダー用カバーとレンズ用カバーとである
ことを特徴とする請求項１記載の撮像装置。
【請求項３】
前記軸は、前記ファインダー用カバーと前記レンズ用カバーとの間に設けられている
ことを特徴とする請求項２記載の撮像装置。
【請求項４】
前記光学用開口からレンズが延出している場合、前記レバーの近傍にピンが突出する
ことを特徴とする請求項１記載の撮像装置。
【請求項５】
前記複数のカバーはレンズ機能を備える
ことを特徴とする請求項１記載の撮像装置。
【請求項６】
前記複数のカバーは光学フィルター機能を備える
ことを特徴とする請求項１撮像装置。
【請求項７】
前記カバーは、前記レバーの可動範囲の略中央で最も回転トルクが強くなる付勢手段によって付勢されている
ことを特徴とする請求項１記載の撮像装置。
【請求項８】
前記レバーの動作は、電源のＯＮ／ＯＦＦと連動している
ことを特徴とする請求項１記載の撮像装置。
【発明の詳細な説明】
【０００１】
【発明の属する技術分野】
本発明は、本体筐体にレンズ用開口とファインダー用開口とが設けられた撮像装置に関する。
【０００２】
【従来の技術】
従来、レンズ部とファインダー対物部を同時に保護する機構としてはレンズカバーの開閉に連動してモードが変わる機構が提案されている（例えば、特開２００１−２５５５７１号公報参照）。また、カバーがレンズと操作系全体を覆い保護する機構が提案されている（例えば、特開平９−２３０４６４号公報参照）。さらに、モニタや操作系釦を隠さないものとして、カメラ前面のカバーをスライドさせ、光学系を覆い保護する機構が提案されている（例えば、特開２０００−３２１６２１号公報参照）。
【０００３】
【発明が解決しようとする課題】
しかしながら、特開２００１−２５５５７１号公報および特開平９−２３０４６４号公報に記載される撮像装置では、カバーがカメラ全体を覆ってしまい、デジタルスチルカメラなどで再生表示を行う際に、モニタや操作系釦が隠れてしまうとういう問題がある。また、カバーが前面に出てしまうため、機構部分を隠すために強度不足が生じたり、デザイン上の自由度に欠けるという問題も発生する。さらに、電動でカバーを開閉する機構（特開２０００−４７３１０号公報等）も多数提案されているが、電動にすることにより機構自体が複雑となり、部品点数も増えるという問題が生じる。
【０００４】
【課題を解決するための手段】
本発明は、このような課題を解決するために成されたものである。すなわち、本発明は、上面にシャッターボタンを有する本体筐体の内部でスライドして複数の光学用開口の各々を覆う複数のカバーを備え、軸を中心に複数のカバーが回動することにより前記複数のカバーが連動して、複数の光学用開口の開閉動作が行われる撮像装置において、カバーと同一平面上に形成されこのカバーを連動させるレバーが、複数の光学用開口のうち上方に位置する開口用のカバーの端から延出して本体筐体の円弧形状を有する上面から突出するよう設けられているものである。
【０００５】
このような本発明では、レンズ用開口を覆うレンズ用カバーおよびファインダー用開口を覆うファインダー用カバーとが本体筐体の内部でスライドする構成のため、スライドさせる機構部分を本体筐体の内部に設けることができ、機構の強度やデザイン性を損なわずに済む。また、レンズ用カバーおよびファインダー用カバーをリンク等によって連動させているため、簡単な動作でレンズ用開口およびファインダー用開口の開閉動作を行うことができるようになる。
【０００６】
【発明の実施の形態】
以下、本発明の実施の形態を図に基づいて説明する。図１は、本実施形態に係る撮像装置の第１実施形態を説明する外観斜視図である。すなわち、本実施形態の撮像装置１は、本体筐体９にレンズ用開口４とファインダー用開口５とを備えており、シャッターボタン８の押下によってレンズ用開口４から画像を取り込むもので、この本体筐体９の内部でレンズ用カバーとファインダー用カバーとが連動してスライドすることにより、両開口の開閉動作を同時に行うことができるようになっている。
【０００７】
この本体筐体９の上面には、レンズ用カバーとファインダー用カバーとを連動させるためのレバー２が突出しており、このレバー２を左右に移動させることで本体筐体９の内部でレンズ用カバーとファインダー用カバーとが連動して開閉できるようになっている。
【０００８】
図２は、撮像装置の開閉機構を説明する図で、（ａ）は透視斜視図、（ｂ）は機構部正面図である。図２（ａ）に示すように、本体筐体９のレンズ用開口４を覆うためのレンズ用カバー１２と、ファインダー用開口５を覆うためのファインダー用カバー１１とは共に本体筐体９の内部に設けられており、軸３を中心として回動できるようになっている。
【０００９】
つまり、軸３を中心に一方側のアームにレンズ用カバー１２が、他方側のアームにファインダー用カバー１１が設けられ、ファインダー用カバー１１のさらに先にはレバー２が本体筐体９の上面から突出する設けられている。したがって、このレバー２を移動させると軸３を中心としてレンズ用カバー１２およびファインダー用カバー１１が各々回動して各々レンズ用開口４およびファインダー用開口５を覆ったり、露出させたりすることができるようになる。
【００１０】
また、レンズ用カバー１２の先端にはトグルばね６の一端が取り付けられ、このトグルばね６の他端が本体筐体９に固定されるピン７に取り付けられている。これにより、レンズ用カバー１２およびファインダー用カバー１１のスライド動作に所定の回転トルクを与えることができる。
【００１１】
つまり、このトグルばね６によってレバー２の可動範囲（レンズ用カバー１２およびファインダー用カバー１１の動作範囲）の略中央で最も回転トルクが強くなり、この略中央を越えてレンズ用カバー１２およびファインダー用カバー１１を開ける方向もしくは閉める方向へ向かうと回転トルクが弱くなる。これにより、レバー２の操作でレンズ用カバー１２およびファインダー用カバー１１の開閉を行う操作感が強調されるとともに、開閉の位置を決定しやすくするとともに、閉・開時におけるカバーの安定をもたらし、本体部振動時にカバーがガタツクことを防ぐ事ができる。
【００１２】
図３は、各カバーの開閉途中を説明する図で、（ａ）は透視斜視図、（ｂ）は機構部正面図である。先に説明したように、レンズ用カバー１２およびファインダー用カバー１１は軸３を中心として回動できるようになっており、トグルばね６によって付勢された状態となっている。
【００１３】
図２に示すレンズ用カバー１２およびファインダー用カバー１１が開いている状態からレバー２を本体筐体９の上方へスライドさせると図３に示すようにトグルばね６が縮む状態となって最も回転トルクがかかるようになる。
【００１４】
図４は、各カバーを閉じた状態を説明する図で、（ａ）は透視斜視図、（ｂ）は機構部正面図である。レバー２を図３に示す状態から更にスライドさせて図中左側へ倒すと、軸３を中心としてファインダー用カバー１１がファインダー用開口５を覆う状態となるとともに、レンズ用カバー１２がレンズ用開口４を覆う状態となる。
【００１５】
この位置ではトグルばね６が図３に示す状態より開いて弱い回転トルクとなる。この動作によってレンズ用開口４およびファインダー用開口５が同時にカバーされることになる。
【００１６】
本実施形態のようにレンズ用カバー１２とファインダー用カバー１１とを本体筐体９の内部で連動させることによって機構部分を外側に見せることがなくなり、撮像装置１の外観を損ねることなく機構部分の十分な強度を持たせることができるようになる。
【００１７】
また、レンズ用カバー１２とファインダー用カバー１１とが連動するため、ファインダー１０から覗いてみる画像とレンズを介した画像（撮影用画像）とが同じとなり、誤ってカバーがされたまま撮影してしまう操作ミスを防止できるようになる。さらに、レンズ用カバー１２およびファインダー用カバー１１が本体筐体９の内部に収まるため、本体筐体９の外側に不要な引っかかりがなくなって破損を防ぐことができるとともに、カバーの紛失を起こさずに済むようになる。
【００１８】
次に、第２実施形態の説明を行う。図５は、第２実施形態に係る撮像装置を説明する外観斜視図である。この撮像装置１は、第１実施形態と同様にレンズ用開口４を覆うためのレンズ用カバーとファインダー用開口５を覆うためのファインダー用カバーとが本体筐体９の内部に配置され、レバー２の操作により連動する構成であるが、各カバーが各々別個の軸３を中心として回動する点で相違する。
【００１９】
また、本実施形態の撮像装置１では本体筐体９が横長の略直方体になっており、本体筐体９の上面にシャッターボタン８が設けられている。
【００２０】
図６は、撮像装置の開閉機構を説明する図で、（ａ）は透視斜視図、（ｂ）は機構部正面図である。すなわち、レンズ用開口４を覆うためのレンズ用カバー１２およびファインダー用開口５を覆うためのファインダー用カバー１１は各々別個のアームの一端に取り付けられ、各アームの他端をリンクによって連結した構成となっている。
【００２１】
リンクと各アームとはピンと長穴（Ｕ字溝）との嵌合によって連結されており、各アームが回動してもレバー２を本体筐体９の上面に沿って略平行に移動できるようになっている。
【００２２】
また、各アームの略中央が各々別個の軸３によって支持されており、リンクに設けられ本体筐体９の上面から突出するレバー２を左右に移動させることで各軸３を中心に各アームが回動し、レンズ用カバー１２およびファインダー用カバー１１が一緒に揺動するようになっている。
【００２３】
さらに、レンズ用カバー１２の先端にはトルク６ばねの一端が取り付けられ、このトグルばね６の他端が本体筐体９に固定されるピン７に取り付けられている。これにより、レンズ用カバー１２およびファインダー用カバー１１のスライド動作に所定の回転トルクを与えることができる。
【００２４】
つまり、このトグルばね６によってレバー２の可動範囲（レンズ用カバー１２およびファインダー用カバー１１の動作範囲）の略中央で最も回転トルクが強くなり、この略中央を越えてレンズ用カバー１２およびファインダー用カバー１１を開ける方向もしくは閉める方向へ向かうと回転トルクが弱くなる。これにより、レバー２の操作でレンズ用カバー１２およびファインダー用カバー１１の開閉を行う操作感が強調されるとともに、開閉の位置を決定しやすくするとともに、閉・開時におけるカバーの安定をもたらし、本体部振動時にカバーがガタツクことを防ぐ事ができる。
【００２５】
図７は、各カバーの開閉途中を説明する図で、（ａ）は透視斜視図、（ｂ）は機構部正面図である。先に説明したように、レンズ用カバー１２およびファインダー用カバー１１は各々別個の軸３を中心として揺動するようになっており、トグルばね６によって付勢された状態となっている。
【００２６】
つまり、図６に示すレンズ用カバー１２およびファインダー用カバー１１が開いている状態からレバー２を中程へスライドさせると図７に示すようにトグルばね６が縮む状態となって最も回転トルクがかかるようになる。
【００２７】
図８は、各カバーを閉じた状態を説明する図で、（ａ）は透視斜視図、（ｂ）は機構部正面図である。レバー２を図７に示す状態から更にスライドさせると、各軸３を中心としてファインダー用カバー１１がファインダー用開口５を覆う状態となるとともに、レンズ用カバー１２がレンズ用開口４を覆う状態となる。
【００２８】
この位置ではトグルばね６が図７に示す状態より開いて弱い回転トルクとなる。レンズ用カバー１２およびファインダー用カバー１１とが連動することでレンズ用開口４およびファインダー用開口５が同時にカバーされることになる。
【００２９】
本実施形態でも第１実施形態と同様にレンズ用カバー１２とファインダー用カバー１１とが本体筐体９の内部に収納され機構部分も内部に設けられることによってカバーや機構部分を外側に見せることがなくなり、撮像装置１の外観を損ねることなくなる。しかも、機構部分を見せずに済むことから、機構部分についてデザイン性を考慮しなくてもよく、十分な強度を持たせるための形状等にすることが可能となる。
【００３０】
また、レンズ用カバー１２とファインダー用カバー１１とが連動するため、ファインダー１０から覗いてみる画像とレンズを介した画像（撮影用画像）とが同じとなり、誤ってカバーがされたまま撮影してしまうといった操作ミスを事前に防止できるようになる。さらに、レンズ用カバー１２およびファインダー用カバー１１が本体筐体９の内部に収まるため、本体筐体９の外側に不要な引っかかりがなくなってカバーの破損を防ぐことができるとともに、カバーの紛失を起こさずに済むようになる。
【００３１】
なお、上記いずれの実施形態でもレンズ用カバー１２およびファインダー用カバー１１としてレンズ機能を持たせたものを用いてもよい。すなわち、レンズ用カバー１２およびファインダー用カバー１１にレンズ（例えば、望遠レンズ、広角レンズ）を設けてレバー２のスライド操作でレンズを装着した撮影とレンズを装着しない撮影とを切り替えられるようにする。また、遮光のカバー部分に隣接してレンズ部分を設けておき、レバー２の位置でカバー機能とレンズ機能とを切り替えられるようにしてもよい。
【００３２】
また、上記レンズ機能の代わりもしくはレンズ機能と合わせてフィルター機能（例えば、偏光フィルター）を持たせるようにしてもよい。この場合もレバー２の位置によってフィルター機能の有無を選択したり、複数種類のフィルターを持たせてレバー２の位置によりフィルターの種類を選択できるようにしてもよい。
【００３３】
さらに、上記説明したレンズ用カバー１２およびファインダー用カバー１１の動作と撮像装置１の電源ＯＮ／ＯＦＦとを連動させるようにしてもよい。つまり、各カバーが覆われている状態から各カバーを外すようレバー２を移動させることで自動的に撮像装置１の電源をＯＮにし、反対に各カバーを覆うようレバー２を移動させることで自動的に撮像装置１の電源をＯＦＦにするよう制御する。これにより、操作の簡素化と誤動作の防止とを両立できるようになる。
【００３４】
また、撮像装置１のレンズが沈動式で本体筐体９から前方（被写体側）へ延出する構成の場合、レバー２の近傍にロックピン（図示せず）を突出させておき、レンズが延出している状態で各カバーを閉じようとした場合にレンズ用カバー１２がレンズに当たる前にロックピンがレバー２もしくはリンクに当たるようにしてもよい。これによってレンズ用カバー１２がレンズに当たってレンズを破損してしまうことを防止できる。また、最も力のかかるレバー・リンクに当たるようにロックピンを配する事で、リンクと各アームとはピンと長穴（Ｕ字溝）との嵌合部分へ大きな力がかからないようにし、リンク機構の破損を防ぐ事ができる。なお、ロックピンはレンズの格納にともない突出を解除するようにしておけば各カバーを閉じる場合に当たることはない。
【００３５】
また、上記各実施形態では、いずれもレンズ用開口４とファインダー用開口５とをカバーする機能を備えた撮像装置１について説明したが、本発明はこれに限定されず、例えば双眼鏡のような複数の光学用開口を備えている撮像装置において、この複数の光学用開口を覆うカバーを本体筐体内部で連動させてカバーの開閉動作を行うようにしたものであっても適用可能である。
【００３６】
【発明の効果】
以上説明したように、本発明によれば次のような効果がある。すなわち、レンズ用カバーとファインダー用カバーとが本体筐体の内部に設けられることで撮像装置の外観を損なうことがなくなるとともに、カバーの紛失を防止することが可能となる。また、機構を内部に収納できるため簡単な構成で見た目を気にせず十分な強度を持たせることも可能となる。しかもレンズ用カバーとファインダー用カバーとが連動することで１回の操作で両カバーを開閉でき、さらにカバーを閉じたまま撮影してしまうといった誤操作を防止することが可能となる。
【図面の簡単な説明】
【図１】本実施形態に係る撮像装置の第１実施形態を説明する外観斜視図である。
【図２】撮像装置の開閉機構を説明する図で、（ａ）は透視斜視図、（ｂ）は機構部正面図である。
【図３】各カバーの開閉途中を説明する図で、（ａ）は透視斜視図、（ｂ）は機構部正面図である。
【図４】各カバーを閉じた状態を説明する図で、（ａ）は透視斜視図、（ｂ）は機構部正面図である。
【図５】第２実施形態に係る撮像装置を説明する外観斜視図である。
【図６】撮像装置の開閉機構を説明する図で、（ａ）は透視斜視図、（ｂ）は機構部正面図である。
【図７】各カバーの開閉途中を説明する図で、（ａ）は透視斜視図、（ｂ）は機構部正面図である。
【図８】各カバーを閉じた状態を説明する図で、（ａ）は透視斜視図、（ｂ）は機構部正面図である。
【符号の説明】
１…撮像装置、２…レバー、３…軸、４…レンズ用開口、５…ファインダー用開口、６…トグルばね、９…本体筐体、１０…ファインダー、１１…ファインダー用カバー、１２…レンズ用カバー
【図１】
0004069671.tif 000002
【図２】
0004069671.tif 000003
【図３】
0004069671.tif 000004
【図４】
0004069671.tif 000005
【図５】
0004069671.tif 000006
【図６】
0004069671.tif 000007
【図７】
0004069671.tif 000008
【図８】
0004069671.tif 000009